(57)【要約】【課題】ネットワークプロトコルを使用しＩＰ電話装置に対してサービスを提供するサービス提供システムでは、サービス提供方法に制限があった。【解決手段】サービス提供側のＩＰ電話装置１００が、ネットワーク７００を介して、サービス享受側ＩＰ電話装置２００にＳＩＰのＭＥＳＳＡＧＥメソッドを使用しサービスの受渡し方法を通知する。通知されたサービス享受側ＩＰ電話装置２００は、ＭＥＳＳＡＧＥメソッドのテキスト記載部分に記述されたＵＲＬを認識し、ＵＲＬに記載されたサービス提供サーバ３００にアクセスし、サービスとして提供されるファイルやデータを取得するようにした。【選択図】図１
2008271078.tif 000002
【特許請求の範囲】
【請求項１】
ネットワークに接続され、ネットワークプロトコルを使用し、データ通信を行なうＩＰ電話装置を用いたサービス提供システムであって、
ネットワークに接続され、サービスの提供者が使用するサービス提供端末と、
ネットワークに接続され、前記サービスの提供者が提供するサービスを登録可能なサービス提供サーバと、
ネットワークに接続され、サービスの利用者が使用するＩＰ電話装置と、
を備え、
前記サービスの提供者が前記サービス提供サーバにサービスに用いるデータやファイルを登録し、
前記サービスの利用者が前記ＩＰ電話装置を用いて前記サービス提供端末と通信し、前記利用者が前記ＩＰ電話装置からサービスを受ける意思を示したとき、
前記サービス提供端末は、前記ＩＰ電話装置に対して、ネットワークプロトコルを用いて、前記サービス提供サーバに登録した前記サービスに用いるデータやファイルへのアクセス方法を通知することにより、当該サービスの受け取りを指示し、
前記ＩＰ電話装置は、通知された前記サービスに用いるデータやファイルへのアクセス方法を用いて前記サービス提供サーバにアクセスし、前記データや前記ファイルを取得することにより、前記サービスを受取る
ことを特徴とするサービス提供システム。
【請求項２】
請求項１のサービス提供システムにおいて、
前記利用者が前記ＩＰ電話装置からサービスを受ける意思を示す方法は、音声を用いる
ことを特徴とするサービス提供システム。
【請求項３】
請求項１のサービス提供システムにおいて、
前記利用者が前記ＩＰ電話装置からサービスを受ける意思を示す方法は、
前記ＩＰ電話装置が備えた電気信号を入力する入力手段を用いて入力する信号を用いる
ことを特徴とするサービス提供システム。
【請求項４】
前記サービス提供端末が、前記ＩＰ電話装置に対して、前記サービスに用いるデータやファイルへのアクセス方法を通知するネットワークプロトコルは、ＳＩＰ（Session Initiation Protocol）である
ことを特徴とする請求項１ないし請求項３のいずれか一記載のサービス提供システム。
【請求項５】
前記サービス提供端末が、前記ＩＰ電話装置に対して、前記サービスに用いるデータやファイルへのアクセス方法を通知する手段は、ＳＩＰのＭＥＳＳＡＧＥメソッドを使用する
ことを特徴とする請求項１ないし請求項３のいずれか一記載のサービス提供システム。
【請求項６】
前記サービス提供端末が、前記ＩＰ電話装置に対して、前記サービスに用いるデータやファイルへのアクセス方法を通知する手段は、ＳＩＰのＭＥＳＳＡＧＥメソッドを使用し、ＵＲＬ（Uniform Resource Locator）を通知することで行なう
ことを特徴とする請求項１ないし請求項３のいずれか一記載のサービス提供システム。
【請求項７】
前記サービス提供端末が、前記ＩＰ電話装置に対して、前記サービスに用いるデータやファイルへのアクセス方法を通知する手段は、ＳＩＰのＭＥＳＳＡＧＥメソッドに対する返信を使用し、ＵＲＬを通知することで行なう
ことを特徴とする請求項１ないし請求項３のいずれか一記載のサービス提供システム。
【請求項８】
前記ＩＰ電話装置は、前記サービス提供サーバにアクセスしてサービスを受取った後、当該サービスの種類を識別し、備えられた構成を用いて実行する
ことを特徴とする請求項１ないし請求項７のいずれか一記載のサービス提供システム。
【請求項９】
ネットワークに接続され、ネットワークプロトコルを使用し、データ通信を用いてサービスを提供するサービス提供システムで使用されるサービスの提供者が使用する情報処理装置であって、
ネットワークに接続されサービスの提供者が使用する情報処理装置が、ネットワークを介してサービスの利用者が使用する前記ＩＰ電話装置と通信し、サービスの提供の要求を受信した場合に、当該要求の返答として前記サービスへのアクセス方法を通知する
ことを特徴とする情報処理装置。
【請求項１０】
前記サービスへのアクセス方法を通知する手段は、ＳＩＰのＭＥＳＳＡＧＥメソッドもしくはＭＥＳＳＡＧＥメソッドに対する返信を使用し、ＵＲＬを通知することで行なう
ことを特徴とする請求項９記載の情報処理装置。
【請求項１１】
ネットワークに接続され、ネットワークプロトコルを使用し、データ通信を用いてサービスを提供するサービス提供システムで使用されるサービスの利用者が使用するＩＰ電話装置であって、
ネットワークに接続されサービスの利用者が使用するＩＰ電話装置が、前記ネットワークを介してサービスの提供者が使用する情報処理装置と通信し、サービスの提供を要求し、当該要求の返答として送信された前記サービスへのアクセス方法を認識し、当該アクセス方法を用いて該当サービスを取得する
ことを特徴とするＩＰ電話装置。
【請求項１２】
前記サービスの利用者が使用するＩＰ電話装置は、前記サービスを取得した後、当該取得したサービスの種類を識別し、備えられた構成を用いて実行する
ことを特徴とする請求項１１記載のＩＰ電話装置。
【請求項１３】
前記サービスへのアクセス方法を認識する手段は、ＳＩＰのＭＥＳＳＡＧＥメソッドもしくはＭＥＳＳＡＧＥメソッドに対する返信に記述された、ＵＲＬを認識することで行なう
ことを特徴とする請求項１１または請求項１２記載のＩＰ電話装置。
【請求項１４】
ネットワークに接続され、ネットワークプロトコルを使用し、データ通信を行なうＩＰ電話装置を用いてサービスを提供するサービス提供方法であって、
サービスの提供者が使用するサービス提供端末と、前記サービスの提供者が提供するサービスが登録されたサーバと、サービスの利用者が使用するＩＰ電話装置とをネットワークに接続することで、前記サービス提供者が使用するサービス提供端末と、前記サーバと、前記サービス利用者が使用するＩＰ電話装置とを通信可能とし、
前記サービス提供者が使用するサービス提供端末が、前記サービス利用者が使用するＩＰ電話装置に対して、ネットワークプロトコルを用いて前記サーバに登録した前記サービスへのアクセス方法を通知する手段を備え、
前記サービス利用者が使用するＩＰ電話装置が、通知されたアクセス方法を用いて前記サーバにアクセスする手段と、サービスを受取る手段とを備える
ことを特徴とし、
前記サービス提供者が使用するサービス提供端末が、前記サービス利用者が使用するＩＰ電話装置に対して、ネットワークプロトコルを用いて前記サーバに登録した前記サービスへのアクセス方法を通知し、
前記サービス利用者が使用するＩＰ電話装置が、通知されたアクセス方法を用いて前記サーバにアクセスし、サービスを受取ることにより
サービスを提供するサービス提供方法。
【請求項１５】
前記サービスへのアクセス方法は、ＳＩＰのＭＥＳＳＡＧＥメソッドもしくはＭＥＳＳＡＧＥメソッドに対する返信にＵＲＬが記述され、当該ＵＲＬに従うことで、該当サービスにアクセスできる
ことを特徴とする請求項１４記載のサービス提供方法。
【発明の詳細な説明】
【技術分野】
【０００１】
本発明は、ネットワークプロトコルを使用した情報処理装置の通信制御方法に関する。詳しくは、情報処理装置を利用してサービスを提供する方法に関する。
【背景技術】
【０００２】
従来、ネットワークプロトコルを使用してＩＰ電話装置間を接続し、会話できるシステムや方法が知られている。同様に情報処理装置を利用し、会話以外のサービスを提供するシステムや方法も知られている。
【０００３】
例えば、特許文献１には、ネットワークプロトコルとしてＳＩＰ（Session Initiation Protocol）を利用し、留守番電話サービスを提供する通信装置の制御方法が記載されている。詳しくは、ＳＩＰを用いて、相手の通信装置が留守番状態であることを認識し、自己の通信装置に相手に伝えるメッセージを記録し、メッセージを記録したことと自己の識別情報とを相手の通信装置に通知することで、留守番電話サービスを構築可能であることが記載されている。
【０００４】
また、特許文献２には、ネットワークプロトコルとしてＳＩＰを利用し、ＩＰ電話装置の保有する電話帳を更新可能とする通信装置の制御方法が記載されている。詳しくは、電話帳データをＳＩＰメッセージメソッドに記載して相手の通信装置に通知することで、相手の通信装置は電話帳データを取得し、取得したデータを元に電話帳を更新することで、電話帳を更新可能とできることが記載されている。
【０００５】
【特許文献１】特開２００６−０１４１０６号公報
【特許文献２】特開２００６−０６７４００号公報
【発明の開示】
【発明が解決しようとする課題】
【０００６】
ネットワークプロトコルと情報処理装置とを利用したサービスには様々な種類や方法がある。特許文献１及び２で挙げた例以外にも、例えばテキストファイルを送信するサービスや、３者間通話を可能とするサービス、その他にも多数のサービスが存在する。
【０００７】
しかしながら、ＩＰ電話装置を用いたサービスは、例示した留守番電話サービスや電話帳を更新可能とするサービスの如く提供者側もＩＰ電話装置である。ＩＰ電話装置であるため、ハードウェアの仕様などから提供できるサービスに自ずと制限がかかっている。そこで、自由度の高いサービス提供方法が望まれる。
【０００８】
また、例示した、留守番電話サービスや電話帳を更新可能とするサービスなど、多種多様なサービスを提供するサービス提供システムが併設されている現状では、予め利用者間で利用するサービスのサービス受け取り方法、実行方法などを決めておく必要がある。このサービス受け取り方法を決めて相手に伝える手段としては、会話中に口頭で伝えることや、電子メール等別の通信手段を使用して伝えることなどで行なわれている。しかし、口頭や電子メールなどで伝える手段では、サービスの受益者が伝えられたサービスのサービス受け取り方法を理解し、合わせて間違いなく実行する必要がある。このことは、近年のＩＴ（Information Technology）の発達やＩＰ（Internet Protocol）技術の台頭などから、サービスを利用する受益者にも多くの専門知識を要求しており、受益者にとって不便である。
【０００９】
また、利用するサービスを口頭で伝える方法では、盗聴などにより第３者が不正にサービスを利用する問題がある。 
本発明の目的は、上記問題に鑑み、サービスを提供する提供者が、ＩＰ電話装置を使用しサービスを受ける受益者に対し、自由度の高いサービスを提供可能な方法を提供することにある。
【００１０】
更に別の目的は、情報処理装置を用いてサービスを提供する提供者が、サービスの受益者に対し、提供するサービスの受け取りを容易にする方法を提供することにある。
【００１１】
更に別の目的は、ＩＰ電話装置を用いてサービスを受ける受益者が、サービス提供者により提供されるサービスの受け取りを容易にすることにある。
【００１２】
更に別の目的は、ＩＰ電話装置を用いてサービスを受ける受益者が、サービス提供者により提供されるサービスの実行を容易にすることにある。
【００１３】
更に別の目的は、情報処理装置を用いてサービスを提供する提供者とＩＰ電話装置を用いてサービスを受ける受益者とがサービスを受け渡す方法の伝達に、秘匿性を持たせることにある。
【課題を解決するための手段】
【００１４】
本願発明のサービス提供システムは、ネットワークに接続され、ネットワークプロトコルを使用し、データ通信を行なうＩＰ電話装置を用いたサービス提供システムであって、ネットワークに接続され、サービスの提供者が使用するサービス提供端末と、ネットワークに接続され、前記サービスの提供者が提供するサービスを登録可能なサービス提供サーバと、ネットワークに接続され、サービスの利用者が使用するＩＰ電話装置と、を備え、前記サービスの提供者が前記サービス提供サーバにサービスに用いるデータやファイルを登録し、前記サービスの利用者が前記ＩＰ電話装置を用いて前記サービス提供端末と通信し、前記利用者が前記ＩＰ電話装置からサービスを受ける意思を示したとき、前記サービス提供端末は、前記ＩＰ電話装置に対して、ネットワークプロトコルを用いて、前記サービス提供サーバに登録した前記サービスに用いるデータやファイルへのアクセス方法を通知することにより、当該サービスの受け取りを指示し、前記ＩＰ電話装置は、通知された前記サービスに用いるデータやファイルへのアクセス方法を用いて前記サービス提供サーバにアクセスし、前記データや前記ファイルを取得することにより、前記サービスを受取ることを特徴とする。
【００１５】
本願発明の情報処理装置は、ネットワークに接続され、ネットワークプロトコルを使用し、データ通信を用いてサービスを提供するサービス提供システムで使用されるサービスの提供者が使用する情報処理装置であって、ネットワークに接続されサービスの提供者が使用する情報処理装置が、ネットワークを介してサービスの利用者が使用する前記ＩＰ電話装置と通信し、サービスの提供の要求を受信した場合に、当該要求の返答として前記サービスへのアクセス方法を通知することを特徴とする。
【００１６】
本願発明のＩＰ電話装置は、ネットワークに接続され、ネットワークプロトコルを使用し、データ通信を用いてサービスを提供するサービス提供システムで使用されるサービスの利用者が使用するＩＰ電話装置であって、ネットワークに接続されサービスの利用者が使用するＩＰ電話装置が、前記ネットワークを介してサービスの提供者が使用する情報処理装置と通信し、サービスの提供を要求し、当該要求の返答として送信された前記サービスへのアクセス方法を認識し、当該アクセス方法を用いて該当サービスを取得することを特徴とする。
【００１７】
本願発明のサービス提供方法は、ネットワークに接続され、ネットワークプロトコルを使用し、データ通信を行なうＩＰ電話装置を用いてサービスを提供するサービス提供方法であって、サービスの提供者が使用するサービス提供端末と、前記サービスの提供者が提供するサービスが登録されたサーバと、サービスの利用者が使用するＩＰ電話装置とをネットワークに接続することで、前記サービス提供者が使用するサービス提供端末と、前記サーバと、前記サービス利用者が使用するＩＰ電話装置とを通信可能とし、前記サービス提供者が使用するサービス提供端末が、前記サービス利用者が使用するＩＰ電話装置に対して、ネットワークプロトコルを用いて前記サーバに登録した前記サービスへのアクセス方法を通知する手段を備え、前記サービス利用者が使用するＩＰ電話装置が、通知されたアクセス方法を用いて前記サーバにアクセスする手段と、サービスを受取る手段とを備えることを特徴とし、前記サービス提供者が使用するサービス提供端末が、前記サービス利用者が使用するＩＰ電話装置に対して、ネットワークプロトコルを用いて前記サーバに登録した前記サービスへのアクセス方法を通知し、前記サービス利用者が使用するＩＰ電話装置が、通知されたアクセス方法を用いて前記サーバにアクセスし、サービスを受取ることによりサービスを提供する。
【発明の効果】
【００１８】
本発明によれば、サービスを提供する提供者が、ＩＰ電話装置を使用しサービスを受ける受益者に対し、自由度の高いサービスを提供可能な方法を提供できる。
【００１９】
本発明によれば、情報処理装置を用いてサービスを提供する提供者が、サービスの受益者に対し、提供するサービスの受け取りを容易にする方法を提供できる。
【００２０】
本発明の別の効果によれば、ＩＰ電話装置を用いてサービスを受ける受益者が、サービス提供者により提供されるサービスの受け取りを容易にできる。
【発明を実施するための最良の形態】
【００２１】
本発明の実施の一形態を図１ないし図９に基づいて説明する。
【００２２】
図１は本発明の実施の一形態を示す概略図である。図１に示す通り、本実施形態での構成は、情報処理装置としてＩＰ電話装置１００、ＩＰ電話装置２００、サービスを登録するサービス提供サーバ３００及びアドレス解決サーバとしてＳＩＰサーバ５００を備え、各装置間はネットワーク７００により接続されている。各装置間はネットワーク７００を介してデータの送受信が可能である。そして、ＩＰ電話装置１００、２００及びＳＩＰサーバ５００は、ＳＩＰに準拠したデータを送受信可能である。
【００２３】
ＩＰ電話装置１００及び２００は、一般的なＩＰ電話装置の機能を備えている。つまり、受話器、テンキー、拡張ボタン、表示部等が設けられ、ネットワーク７００を介して他のＩＰ電話装置と会話が可能である。更に、情報処理を行う機能が拡張され、ＨＴＴＰ（HyperText Transfer Protocol）などのインターネット用のプロトコルも認識可能である。詳しくは図２を用いて説明する。
【００２４】
サービス提供サーバ３００は、一般的なインターネットサーバであって、Ｗｅｂサーバ機能を備えている。ここでＷｅｂサーバ機能とは、単にＨＴＴＰを利用しホームページやファイル等を参照可能とするのみでなく、ＴＣＰ／ＩＰ（Transmission Control Protocol/Internet Protocol）に代表される、多くの通信プロトコルを認識し、各種データ通信を可能とする。例えば、ファイルの送受信やインターネット放送のストリーミング送信、認証などを行なえる。また広義にはＦＴＰ（File Transfer Protocol）サーバ機能やメールサーバ機能なども含む。
【００２５】
ＳＩＰサーバ５００は、問合せ元の情報処理装置と、問合せ先の情報処理装置との通信を仲介する。尚、図１においてはＳＩＰサーバ５００を記載したが、ＳＩＰを使用する以上、ＳＩＰサーバは必要不可欠であり、また本願発明において特段特殊な使用方法を行うわけではない。このため、ＳＩＰサーバ５００の構成及び動作の説明を省略する。また、ＳＩＰサーバ５００の機能として、ＳＩＰの送信元と受信元との通信を仲介するが、これも説明を省き、以降の説明では送信元受信元とが直接通信を行なう様に記載する。
【００２６】
図２は、実施の一形態において用いられるＩＰ電話装置１００のシステム構成を示すブロック図である。ＩＰ電話装置１００には、各種情報処理を行う制御部１１０、割当てられた電話番号やＩＰアドレスなどの情報を記憶する記憶部１２０、基本制御プログラムが格納されているＲＯＭ１３０、使用者によって情報を入力される入力部１４０、受信したデータ等を出力する出力部１５０、音声や画像をデジタルデータにエンコードやデコードを行なうコーデック１６０、ネットワーク７００を介しＳＩＰサーバ５００など外部装置との通信を行うためのネットワーク制御部１７０が設けられている。
【００２７】
記憶部１２０は、ＩＰ電話装置１００自体に割振られた電話番号やＩＰアドレスなど識別情報を記憶する。また、制御プログラムも格納されており、制御部１１０はこの制御プログラムに基づいて動作する。更に、ネットワークを介して送受信するデータの一時保存や、ファイルの格納なども行なう。
【００２８】
入力部１４０は、テンキー（図示せず）を備え、制御部１１０に対して、発信先の電話番号の入力が行なわれる。また、拡張キー（図示せず）を備え、保留の設定や転送などの入力が行なわれる。出力部１５０は、ＬＣＤ表示部を備え、制御部１１０からの信号に応じて画面を表示する。また、スピーカを備え、制御部１１０からの信号に応じて着信音などを鳴らす。入力部１４０と出力部１５０には、受話器が接続され、コーデック１６０に音声信号などを伝達する。コーデック１６０は、受話器からの音声信号等のエンコードを行なう。またネットワーク７００を介して送られてくる音声データ等のデコードを行なう。更に、ＲＴＰ（Real-time Transport Protocol）メッセージの生成及び解析を行い、音声通話の品質を保つ。
【００２９】
ＩＰ電話装置２００もＩＰ電話装置１００と同様の構成とする。つまり、ＩＰ電話装置２００には、各種情報処理を行う制御部２１０、割当てられた電話番号やＩＰアドレスなどの情報を記憶する記憶部２２０、基本制御プログラムが格納されているＲＯＭ２３０、使用者によって情報を入力される入力部２４０、受信したデータ等を出力する出力部２５０、音声や画像をデジタルデータにエンコードやデコードを行なうコーデック２６０、ネットワーク７００を介しＳＩＰサーバ５００など外部装置との通信を行うためのネットワーク制御部２７０、が設けられている。
【００３０】
このような構成において、本発明の実施の一形態であるサービス提供システムは、サービスの提供者が、サービスの受益者に対し、受け取りを容易としたサービスを提供できる。
【００３１】
以下にシステムの動作を説明する為、サービス提供例を示す。詳細には、図３ないし図１２を用い、システム全体の通信の流れと、各装置が行なう動作、通信の内容を示す。
【００３２】
まず、一つ目のサービス提供例では、サービス提供者がサービス受益者に対して、サービスとして画像ファイルを提供することとする。提供される画像ファイルは、URLアドレスを『www.hanako.com』とするサービス提供サーバ３００の『index』フォルダに格納され、ファイル名は『photo.jpg』とする。つまり『http://www.hanako.com/index/photo.jpg』からアクセスできることとする。
【００３３】
図３は、システム全体の通信の流れを示した動作シーケンス図である。ＩＰ電話装置１００をサービス提供者が使用し、ＩＰ電話装置２００をサービス受益者が使用する。サービス提供サーバ３００はサービス提供者の管理下のサーバとして記載するが、外部のサーバを使用しても良い。
【００３４】
まず、サービス提供者は、ＩＰ電話装置１００もしくはその他の情報処理装置（図示せず）を使用し、サービス提供サーバに画像ファイル『photo.jpg』を登録（送信）する。このときサービス提供サーバ３００は、画像ファイルを『index』フォルダに格納し、サービス提供要求があるまで待機する（ステップＳ３０１）。
【００３５】
次に、サービス提供者は、ＩＰ電話装置１００を用いてサービス受益者の使用するＩＰ電話装置２００と回線接続を行なう。
【００３６】
このとき、ＩＰ電話装置１００の制御部１１０は、ＳＩＰを用いて『ＩＮＶＩＴＥ』を送信する（ステップＳ３０２）。尚、『ＩＮＶＩＴＥ』など『』で囲った文字列はＳＩＰのメソッドを示す。ＩＰ電話装置２００の制御部２１０は、『ＩＮＶＩＴＥ』を受信し、『２００  ＯＫ』のレスポンスを返信する（ステップＳ３０３）。ＩＰ電話装置１００の制御部１１０は、『２００  ＯＫ』を認識し、『ＡＣＫ』を送信する（ステップＳ３０４）。
【００３７】
このステップＳ３０１からＳ３０４の動作で、ＩＰ電話装置間の回線を接続する。尚、ＩＰ電話装置２００から『ＩＮＶＩＴＥ』を送信し、回線接続を行なっても良い。
【００３８】
サービス提供者とサービス受益者は、各々のＩＰ電話装置を用いて会話を行い、サービスの内容等を確認する。そして、サービス受益者はサービス提供者に対してサービスを受ける意思を伝える（ステップＳ３０５）。尚、意思を伝える方法としては、口頭によるものの他にもＩＰ電話装置２００のボタン発信音などを使用するものでも良い。
【００３９】
サービス提供者は、サービス受益者のサービスを受ける意思を確認し、ＩＰ電話装置１００の入力部を操作して、ＩＰ電話装置２００に対しサービス提供許可信号を送信する。このとき、ＩＰ電話装置１００の制御部１１０は、入力部が操作されたことを認識し、ＩＰ電話装置２００に対し、『ＭＥＳＳＡＧＥ』を送信する（ステップＳ３０６）。この『ＭＥＳＳＡＧＥ』のボディ部分には提供するサービスの情報が記載され、本サービス提供例では、ファイルにアクセスする為のＵＲＬが記載される。このボディ部分はテキスト形式で送信される為、必要に応じてタグ等の記述式を用いることが可能であり、様々なサービスの提供方法に対応できる。更にＳＩＰによって接続を確立した後であれば、接続を切断するまで、様々なタイミングで送信が可能である。
【００４０】
ＩＰ電話装置２００の制御部２１０は、『ＭＥＳＳＡＧＥ』を受信し、『２００  ＯＫ』のレスポンスを返信する（ステップＳ３０７）。
【００４１】
ＩＰ電話装置２００の制御部２１０は、『ＭＥＳＳＡＧＥ』のボディ部分に記載されている情報を解析し、記載されているＵＲＬ『http://www.hanako.com/index/photo.jpg』を抽出し、そのＵＲＬにアクセスする（ステップＳ３０８）。
【００４２】
サービス提供サーバ３００は、ＩＰ電話装置２００からアクセスされたＵＲＬに記載されているファイル『photo.jpg』をＩＰ電話装置２００に送信する（ステップＳ３０９）。
【００４３】
ＩＰ電話装置２００の制御部２１０は、画像ファイル『photo.jpg』を受信し、表示部に表示する。つまり、提供されたサービスとして画像ファイル『photo.jpg』を表示する。
【００４４】
以上のステップＳ３０６からＳ３０９の動作で、サービス受益者は、サービスを受けることができる。尚、ＳＩＰを用いているため、いずれかのＩＰ電話装置から『ＢＹＥ』を送信する必要があるが、そのタイミングはステップＳ３０７以降であればいつでも良い。
【００４５】
図４に、ステップＳ３０６で送信される『ＭＥＳＳＡＧＥ』の送信例を示す。『ＭＥＳＳＡＧＥ』の内容は、メソッドの定義文、送信先、受信先等のヘッター部分とテキストで記述されたボディ部分に分けられる。ヘッター部分はＳＩＰに則って記述され、ボディ部分には、ＵＲＬが記載される。
【００４６】
図５は、図３において示したサービス提供時のサービス提供者とＩＰ電話装置１００との動作を示すフローチャートである。
【００４７】
サービス提供者は、予めサービスをサービス提供サーバ３００に登録する為、ＩＰ電話装置１００を用いて、サービス提供サーバ３００に『photo.jpg』ファイルを登録する（ステップＳ５０１）。尚、ファイルを登録する方法は、ＨＴＴＰのＰＵＴコマンドを用いても良いし、他の方法でも構わない。
【００４８】
サービス提供者は、ＩＰ電話装置１００を用いてＩＰ電話装置２００に回線接続を行う。詳しくは、ＩＰ電話装置１００の制御部１１０が、ＳＩＰを用いて『ＩＮＶＩＴＥ』を送信し、応答があることを確認し、『ＡＣＫ』を送信することで回線接続を行なう（ステップＳ５０２）。
【００４９】
サービス提供者は、接続された回線を使用し、サービス受益者と会話を行なう。このときにサービス受益者からサービスを受ける意思を確認する。詳しくは、ＩＰ電話装置１００の受話器を用いてサービス受益者と会話し、サービス受益者が口頭で『サービスを受けたい』等の言葉を持って確認する（ステップＳ５０３）。尚、サービスを受ける意思の確認は、ＩＰ電話装置２００のテンキー等を利用して発する発信音で確認しても良いし、他の電気的又は音的信号を用いて確認しても良い。
【００５０】
サービス提供者は、サービス受益者のサービスを受ける意思を確認した後、ＩＰ電話装置１００を用いて、図４に示した『ＭＥＳＳＡＧＥ』を送信する。本サービス提供例では、『ＭＥＳＳＡＧＥ』はサービス提供者がテンキーを押すことで発信する（ステップＳ５０４）。尚、ステップＳ５０３において発信音や電気的信号を用いてサービスを受ける意思を確認した場合は、ＩＰ電話装置１００の制御部１１０が発信音や電気的信号を認識し、自動的に『ＭＥＳＳＡＧＥ』を送信する様にすればよい。
【００５１】
ＩＰ電話装置１００は、ＩＰ電話装置２００から『ＭＥＳＳＡＧＥ』の受信通知『２００ＯＫ』を受信し、正常に『ＭＥＳＳＡＧＥ』が送信できたことを確認する。受信通知の返信が無い場合には再送等の動作を行い、サービス提供者に通知する。また、ある程度の時間を置き『ＢＹＥ』を送信し、回線を切断する（ステップＳ５０５）。
【００５２】
図６は、図３において示したサービス提供時のサービス受益者とＩＰ電話装置２００との動作を示すフローチャートである。 
サービス受益者は、ＩＰ電話装置２００を用いてＩＰ電話装置１００との回線接続を行う。詳しくは、ＩＰ電話装置２００の制御部２１０は、ＩＰ電話装置１００がＳＩＰを用いて送信する『ＩＮＶＩＴＥ』を受信し、『２００ＯＫ』を送信する。また、ＩＰ電話装置１００が送信する『ＡＣＫ』を受信することで回線接続を行なう（ステップＳ６０１）。この動作は、ステップＳ５０２と対応して行なわれる。
【００５３】
サービス受益者は、接続された回線を使用し、サービス提供者と会話を行なう。このときにサービス提供者に対してサービスを受ける意思を伝える。詳しくは、ＩＰ電話装置２００の受話器を用いてサービス提供者と会話中に、口頭で『サービスを受けたい』等の言葉を持って伝える（ステップＳ６０２）。
【００５４】
ＩＰ電話装置２００の制御部２１０は、ＩＰ電話装置１００から送信された、『ＭＥＳＳＡＧＥ』を受信する。正常に受信が完了すれば『２００ＯＫ』を送信する（ステップＳ６０３）。受信した『ＭＥＳＳＡＧＥ』のボディ部分には、提供されるサービスへのアクセス方法としてサービス提供サーバ３００に登録された『photo.jpg』ファイルのＵＲＬ『http://www.hanako.com/index/photo.jpg』が記載されている。
【００５５】
ＩＰ電話装置２００の制御部２１０は、『ＭＥＳＳＡＧＥ』のボディ部分に記載されたＵＲＬを認識し、サービス提供サーバ３００にアクセスする。詳しくは、サービス提供サーバ３００に対してＨＴＴＰに準拠したＧＥＴコマンドを送信する（ステップＳ６０４）。尚、本サービス提供例では、サービスが画像ファイルの提供である為、ＨＴＴＰのＧＥＴコマンドを利用するが、ＨＴＴＰを使用せずとも、他のネットワークプロトコルを用いても良く、『photo.jpg』ファイルを取得できれば良い。
【００５６】
ＩＰ電話装置２００の制御部２１０は、サービス提供サーバ３００から送信された『photo.jpg』ファイルを取得し、記憶部２２０に記録すると共に、表示部に表示する。詳しくは、ＩＰ電話装置２００の制御部２１０は、ステップＳ６０４にて送信したＨＴＴＰのＧＥＴコマンドに応答して、サービス提供サーバ３００が送信したレスポンスメッセージに含まれる『photo.jpg』ファイルを取得する。そして、記憶部２２０に記録し、画像ファイル表示アプリケーションを起動し、表示装置に表示する（ステップＳ６０５）。尚、本サービス提供例では、サービスが画像ファイルの提供である為、表示部に表示したが、他の種類のサービスであれば、サービスに応じた処理を行うことは記載するまでもない。
【００５７】
以上説明したように本実施の一形態によれば、一つ目のサービス提供例に示すように、サービスとして画像ファイルを提供することができる。サービス提供サーバ３００が提供可能なサービスは、この他にも多数あり、幾つかを以下に示す。
【００５８】
二つ目のサービス例として、ＦＴＰ（File Transfer Protocol）を利用した画像提供サービスを示す。前述のサービス提供例は、サービス提供サーバ３００をＷｅｂサーバとして、ＨＴＴＰを利用して画像ファイルを取得している。それに対し、サービス提供サーバ３００をＦＴＰサーバとして、ＦＴＰを利用することにより、画像ファイルを取得することも可能である。
【００５９】
ＦＴＰを使用したサービス提供例としては、サービス提供者がサービス提供サーバ３００にサービスを登録する際に、ＦＴＰサーバ『ftp.hanako.com』の『index』フォルダに『photo１.jpg』ファイルを登録することとする。
【００６０】
そして、ＩＰ電話装置１００からＩＰ電話装置２００にＳＩＰの『ＭＥＳＳＡＧＥ』を使用して通知されるＵＲＬを『ftp://ftp.hanako.com/index/photo1.jpg』とする。
【００６１】
ＩＰ電話装置２００の制御部２１０は、ＵＲＬを認識し、ＦＴＰを用いてサービス提供サーバ３００にアクセスし、『photo１.jpg』ファイルを取得する。そして、取得したファイル『photo１.jpg』を表示部に表示すれば良い。尚、このとき送信される『ＭＥＳＳＡＧＥ』の送信例を図７に示す。図４と図７との違いは、ボディ部分に記載されたＵＲＬが異なっている。
【００６２】
他のサービス例として、複数のファイルを取得するサービス例を説明する。
【００６３】
図８は、複数のファイルを取得するサービスを提供するときに送信される『ＭＥＳＳＡＧＥ』の例である。図８の『ＭＥＳＳＡＧＥ』には、ボディ部分にＵＲＬが２アドレス記載されている。ＩＰ電話装置２００の制御部２１０は、２アドレスを認識し、ＨＴＴＰを用いてサービス提供サーバ３００から２ファイルを取得する。そして、取得した２ファイルを順番に表示部に表示する。尚、サービス提供者によって、サービス提供サーバ３００に２ファイルが登録されていることは記載するまでも無い。以後、サービスの例示において、サービス提供サーバ３００にはファイルが登録済みであることとし、説明を省略する。
【００６４】
更に他のサービス例として、取得するファイルを選択可能とするサービス例を説明する。
【００６５】
図９は、取得するファイルを選択可能とするサービスを提供するときに送信される『ＭＥＳＳＡＧＥ』の例である。図９の『ＭＥＳＳＡＧＥ』には、ボディ部分にＵＲＬが３アドレス記載されている。更に、各アドレスにはserviceIDが割振られている。serviceID１とserviceID２とは、HTTPのGETコマンドを使用し、ファイルを取得するサービスを示す。serviceID３はHTTPのPUTコマンドを使用し、ファイルをアップロードするサービスを示す。本例では、３サービスを示すが、３サービス以上でも良く、サービスリストを作成し、表示部に表示できれば、数に拘らない。このような選択可能な『ＭＥＳＳＡＧＥ』を受信したＩＰ電話装置２００の動作は、以下の様になる。
【００６６】
ＩＰ電話装置２００の制御部２１０は、serviceIDとアドレスとを認識することにより、サービスが選択可能であることを認識する。ＩＰ電話装置２００の制御部２１０は、表示部に３つのサービスを表示する。サービス受益者は、表示されたサービスの中から享受したいサービス（serviceID）を選択する。ＩＰ電話装置２００の制御部２１０は、選択されたserviceIDを認識し、serviceID１又はserviceID２であれば、URLに示されたファイルを取得する。また、serviceID３であれば、表示部にアップロードするファイルを選択する旨の表示を行い、サービス受益者が選択するまで待機する。そして、サービス受益者が選択したファイルをサービス提供サーバ３００に送信する。
【００６７】
以上説明したように、本実施の一形態によれば、サービスを提供する提供者が、ＩＰ電話装置を使用しサービスを受ける受益者に対し、自由度の高いサービスを提供可能な方法を提供できる。
【００６８】
同じく本実施の一形態によれば、情報処理装置を用いてサービスを提供する提供者が、サービスの受益者に対し、提供するサービスの受け取りを容易にする方法を提供できる。
【００６９】
同じく本実施の一形態によれば、情報処理装置を用いてサービスを受ける受益者が、サービス提供者により提供されるサービスの受取りを容易にすることができる。
【００７０】
同じく本実施の一形態によれば、情報処理装置を用いてサービスを受けるサービスの受益者が、サービス提供者により提供されるサービスの実行を容易にすることができる。
【００７１】
同じく本実施の一形態によれば、情報処理装置を用いてサービスを提供する提供者と情報処理装置を用いてサービスを受ける受益者とがサービスを受け渡す方法の伝達に、秘匿性を持たせることができる。
【００７２】
本発明の別の実施の一形態を図１０ないし図１２に基づいて説明する。この場合、図１ないし図９に基づいて説明した実施の一形態と同一の部分は同一の符号で示し、説明も省略する。
【００７３】
前述の実施例では、サービスの提供側（ＩＰ電話装置１００）から『ＭＥＳＳＡＧＥ』を送信している。そして、サービスの享受側（ＩＰ電話装置２００）が『ＭＥＳＳＡＧＥ』内の記述を認識し、サービス提供サーバ３００にアクセスし、サービスを享受している。図３を用いて説明すれば、ＩＰ電話装置２００の制御部２１０が、ステップS３０６において送信される『ＭＥＳＳＡＧＥ』を受信し、サービス提供サーバ３００にアクセスする。
【００７４】
別の実施の一形態は、サービスの享受側（ＩＰ電話装置２００）が『ＭＥＳＳＡＧＥ』を送信するサービス享受方法である。
【００７５】
図１０は、別の実施の一形態におけるシステム全体の通信の流れを示した動作シーケンス図である。図３で説明したシーケンス図のステップＳ３０６に代わり、ＩＰ電話装置２００から『ＭＥＳＳＡＧＥ』が送信されている（ステップＳ３１０）。
【００７６】
図１１に『ＭＥＳＳＡＧＥ』の送信例を示す。ボディ部分に『Service Request：phopo.jpg』が記載されている。この『Service Request：phopo.jpg』の記述は、享受したいサービスの種類等により変化させ、様々なサービスの提供に対応する。
【００７７】
ＩＰ電話装置１００は、ＩＰ電話装置２００から送信された『ＭＥＳＳＡＧＥ』を受信し、ボディ部分に記載された『Service Request：phopo.jpg』を認識する。
【００７８】
ＩＰ電話装置１００は、『ＭＥＳＳＡＧＥ』に対する返信として、『２００ OK』を送信する。この『２００ OK』のボディ部分にはサービスへのアクセス方法が記載されている（ステップＳ３１１）。
【００７９】
図１２に『２００ OK』の送信例を示す。『２００ OK』のボディ部分に記載されたサービスへのアクセス方法は、前述した実施の一形態と同様に、サービス提供サーバ３００に登録された『photo.jpg』ファイルのＵＲＬ『http://www.hanako.com/index/photo.jpg』が記載されている。
【００８０】
ボディ部分に記載されたサービスへのアクセス方法は、前述した実施の一形態と同様に、様々な形式に対応可能である。また、サービスとして提供されるファイルは、画像ファイル以外にも、ミュージックファイル、ビデオ映像ファイル、ホームページ、テキストファイルなどの様々なファイルが可能である。その場合は、画像ファイル『photo.jpg』に代え、『music.mp3』、『video.avi』『info.html』『text.txt』等のファイルに置換えればそれで良い。
【００８１】
尚、実施例の説明は、本願発明によって提供されるサービスをファイルへのアクセスに限定するものではない。サービスは、ファイルへのアクセス以外にも、認証や、チケットの予約、情報の提供などが挙げられる。このときは、それぞれのサービス提供にあったデータへのアクセス方法を、プロトコルを使用し、通信すれば良い。
【００８２】
また、本実施例では、サービスの提供者が使用する情報処理装置としてＩＰ電話装置１００を備えているが、ＩＰ電話装置に限定するものではない。サービスの提供者が使用する情報処理装置であればどの様な構成でも良い。例えば、一般的なパーソナルコンピュータを用いた構成や、ＩＰ網を利用したＦＡＸなどでも良い。また、サービスを受ける受益者が使用するＩＰ電話装置は、ＩＰ網を利用したＦＡＸ等に付随するＩＰ電話機能でも良い。
【図面の簡単な説明】
【００８３】
【図１】実施の一形態を示す概略図である。
【図２】ＩＰ電話装置のシステム構成を示すブロック図である。
【図３】システム全体の通信の流れを示すシーケンス図である。
【図４】『ＭＥＳＳＡＧＥ』の送信例を示す図である。
【図５】サービス提供者とＩＰ電話装置との動作を示すフローチャートである。
【図６】サービス受益者とＩＰ電話装置との動作を示すフローチャートである。
【図７】ＦＴＰを用いる場合の『ＭＥＳＳＡＧＥ』の送信例を示す図である。
【図８】複数のファイルを取得する場合の『ＭＥＳＳＡＧＥ』の送信例を示す図である。
【図９】取得するファイルを選択可能とする場合の『ＭＥＳＳＡＧＥ』の送信例を示す図である。
【図１０】別の実施の一形態におけるシステム全体の通信の流れを示すシーケンス図である。
【図１１】別の実施の一形態における『ＭＥＳＳＡＧＥ』の送信例を示す図である。
【図１２】別の実施の一形態における『２００ OK』の送信例を示す図である。
【符号の説明】
【００８４】
１００  ＩＰ電話装置（サービス提供側）
２００  ＩＰ電話装置（サービス享受側）
３００  サービス提供サーバ
５００  ＳＩＰサーバ
７００  ネットワーク
【図１】
2008271078.tif 000003
【図２】
2008271078.tif 000004
【図３】
2008271078.tif 000005
【図４】
2008271078.tif 000006
【図５】
2008271078.tif 000007
【図６】
2008271078.tif 000008
【図７】
2008271078.tif 000009
【図８】
2008271078.tif 000010
【図９】
2008271078.tif 000011
【図１０】
2008271078.tif 000012
【図１１】
2008271078.tif 000013
【図１２】
2008271078.tif 000014